(57)【要約】      （修正有）【課題】長期的に中心照度を良好に維持することが可能な放電器用パッケージ、および、該放電器用パッケージを備えた放電器を提供する。【解決手段】酸化アルミニウム質焼結体を主成分とする白色の基板２と、基板２の上面に、基板２を取り囲んで設けられるとともに、内面に連続した複数の段を有しており、酸化アルミニウム質焼結体を主成分とする白色の枠体３と、枠体３の内面と接するように設けられた陰極４と、上面視において、陰極４および基板２の中心と一直線上になるように設けられるとともに、陰極４と間を空けて枠体３の内面と接するように設けられた陽極５と、基板２の内部または基板２の下面に設けられるとともに、陰極４および陽極５によって挟まれた放電領域と重なるように設けられたトリガ電極６とを備えていることを特徴とする放電器用パッケージ１。【選択図】図１０
2017117671.tif 000002
【特許請求の範囲】
【請求項１】
酸化アルミニウム質焼結体を主成分とする白色の基板と、
該基板の上面に、前記基板を取り囲んで設けられるとともに、内面に連続した複数の段を有しており、酸化アルミニウム質焼結体を主成分とする白色の枠体と、
該枠体の内面と接するように設けられた陰極と、
上面視において、該陰極および前記基板の中心と一直線上になるように設けられるとともに、前記陰極と間を空けて前記枠体の内面と接するように設けられた陽極と、
前記基板の内部または前記基板の下面に設けられるとともに、前記陰極および前記陽極によって挟まれた放電領域と重なるように設けられたトリガ電極とを備えていることを特徴とする放電器用パッケージ。
【請求項２】
前記基板および前記枠体は、白色の酸化物を副成分としていることを特徴とする請求項１に記載の放電器用パッケージ。
【請求項３】
前記枠体の内縁は、上面視において矩形状であり、前記複数の段は、前記枠体の長辺方向のそれぞれに、対向して設けられているとともに、前記枠体の短辺のそれぞれに、対向して一対の凸部が設けられており、該凸部の上面に前記陽極および前記陰極が設けられていることを特徴とする請求項１または請求項２に記載の放電器用パッケージ。
【請求項４】
上面視において、前記基板の上面から前記枠体の上端にかけた前記複数の段の各段の幅は、前記枠体の上端に向かって小さくなっていることを特徴とする請求項１ないし請求項３のいずれか１つに記載の放電器用パッケージ。
【請求項５】
請求項１ないし請求項４のいずれか１つに記載の放電器用パッケージと、
前記放電器用パッケージに封入された希ガスと、
前記枠体の上端に接合された、ガラスから成る蓋体とを備えていることを特徴とする放電器。
【請求項６】
請求項５に記載の放電器と、
前記放電器の前記蓋体の上面に搭載された、レンズとを備えていることを特徴とする放電器。
【請求項７】
前記レンズはフレネルレンズであることを特徴とする請求項６に記載の放電器。
【発明の詳細な説明】
【技術分野】
【０００１】
本発明は、放電器用パッケージ、およびそれを備えた放電器に関する。
【背景技術】
【０００２】
近年、携帯電話などの携帯機器にカメラ機能が設けられており、夜間および室内などにおいても明るい画像を撮像することが求められている。携帯機器に設ける発光装置には小型化が必要であり、従来ではＬＥＤ（Light Emitting Diode）を用いた発光装置が設けられている。しかし、ＬＥＤでは光量が低く、要求される光量の照明光を放射することができなかった。そこで、瞬間的に大光量の光を放射可能な、キセノンなどの希ガスが充填された放電器を構成するガラス管を用いた発光装置が設けられている。しかし、ガラス管を単に小型化すると、希ガスが充填されるガラス管の耐久性、特に熱応力に対する耐久性が低下し得る。それゆえ、耐久性を考慮するとガラス管の小型化には限界があり、結果として放電器の小型化に限界があった。そこで、セラミックスから成る容器部材の放電空間内にキセノンなどの希ガスが充填され、放電空間内に放電電極が設けられた構造の発光装置が提案されている（特許文献１参照）。
【先行技術文献】
【特許文献】
【０００３】
【特許文献１】特開２０１５−１１４３８９号公報
【発明の概要】
【発明が解決しようとする課題】
【０００４】
特許文献１に開示された技術では、発光部は反射層、第１電極および第２電極を備えている。反射層の表面は金属で覆われており、トリガ電極の役割を担っている。このため、発光部の内部にはトリガ電極が露出している状態である。また、反射層は階段状に形成されている。
【０００５】
しかしながら、上記従来の技術では、閃光発光装置として使用していくうちに、露出しているトリガ電極の表面が錆びる、黒色化するなどして光を良好に反射することができなくなるおそれがあった。
【０００６】
本発明の目的は、長期的に中心照度を良好に維持することが可能な放電器用パッケージ、および、該放電器用パッケージを備えた放電器を提供することである。
【課題を解決するための手段】
【０００７】
本発明の一実施形態にかかる放電器用パッケージは、酸化アルミニウム質焼結体を主成分とする白色の基板と、該基板の上面に、前記基板を取り囲んで設けられるとともに、内面に連続した複数の段を有しており、酸化アルミニウム質焼結体を主成分とする白色の枠体と、該枠体の内面と接するように設けられた陰極と、上面視において、該陰極および前記基板の中心と一直線上になるように設けられるとともに、前記陰極と間を空けて前記枠体の内面と接するように設けられた陽極と、前記基板の内部または前記基板の下面に設けられるとともに、前記陰極および前記陽極によって挟まれた放電領域と重なるように設けられたトリガ電極とを備えていることを特徴とする。
【０００８】
また、本発明の一つの態様の放電器は、上述の放電器用パッケージと、前記放電器用パッケージに封入された希ガスと、前記枠体の上端に接合された、ガラスから成る蓋体とを備えていることを特徴とする。
【発明の効果】
【０００９】
本発明の一実施形態に係る放電器用パッケージは、トリガ電極が基板の内部または下面に設けられており、放電器用パッケージの表面が白色であるとともに枠体の内面に連続した複数の段を有することによって、長期的に中心照度を良好に維持することができる。
【００１０】
本発明の一実施形態の放電器によれば、上記構成の放電器用パッケージを含むことから、長期的に中心照度を良好に維持することができる。
【図面の簡単な説明】
【００１１】
【図１】本発明の一実施形態に係る放電器用パッケージを示した斜視図である。
【図２】本発明の一実施形態に係る放電器用パッケージを示した上面視図である。
【図３】図１および図２に示した放電器用パッケージのＡ−Ａ線における断面図である。
【図４】図１および図２に示した放電器用パッケージのＢ−Ｂ線における断面図である。
【図５】図２に示した放電器用パッケージのＣ−Ｃ線における断面時である。
【図６】本発明の一実施形態に係る放電器用パッケージを示した下面図である。
【図７】本発明の一実施形態に係る放電器用パッケージを示した分解斜視図である。
【図８】発明の一実施形態に係る放電器用パッケージおよび蓋体を示した斜視図である。本発明の一実施形態に係る放電器を示した斜視図である。
【図９】本発明の一実施形態に係る放電器を示した斜視図である。
【図１０】図９に示した放電器のＤ−Ｄ線における断面図である。
【図１１】本発明の一実施形態に係る放電器および放電器の上面に搭載されるレンズを示した斜視図である。
【図１２】本発明の一実施形態に係る放電器を搭載した撮像装置である。
【発明を実施するための形態】
【００１２】
放電器は、たとえばスマートフォンなどの携帯端末やデジタルカメラなどの撮像装置に内蔵するものである。放電器は、たとえば、キセノンなどの希ガスの放電作用を利用して、ＬＥＤと比較して、瞬間的に大光量の閃光を発することができる。放電器を発光させる回路構成は、ガラス管内にキセノンなどの希ガスが充填された構造のキセノン放電管を用いた閃光発光器と同様である。以下、本発明の実施形態に係る放電器用パッケージおよび放電器について、図面を参照しながら説明する。
【００１３】
＜放電器用パッケージの構成＞
図１は本発明の一実施形態に係る放電器用パッケージ１の斜視図を、図２は本発明の一実施形態に係る放電器用パッケージ１の上面視図を、図３ないし図５は本発明の一実施形態に係る放電器用パッケージ１の断面図を、図６は本発明の一実施形態に係る放電器用パッケージ１の下面視図を示している。これらの図において、放電器用パッケージ１は、基板２および枠体３を備えている。
【００１４】
図１に示すように、基板２は、上面視において例えば矩形状である。円形状または楕円形状であってもよい。基板２の大きさは、上面視において長辺が５ｍｍ〜２０ｍｍ、短辺が２ｍｍ〜１０ｍｍであり、基板２の厚みは０．１ｍｍ〜１ｍｍである。基板２は、酸化アルミニウム質焼結体から成る。また、酸化アルミニウム質焼結体を主成分とする。例えば、酸化ジルコニウム、二酸化ケイ素、酸化マグネシウムおよび酸化カルシウム等の白色の酸化物であれば副成分として含んでいてもよい。この場合に、主成分とは蛍光Ｘ線分析法等を用いて、スペクトルのピークの大きさが１００％の場合を基準にして、スペクトルのピークの大きさが９０％以上を示すものをいう。副成分は１０％未満である。また、副
成分の物質が何％程度含まれているかも、スペクトルのピークの位置および大きさで識別することができる。基板２が白色であれば、発生する光を効果的に反射して外部に放出することができる。白色とは、全ての色の可視光線（３８０〜７８０ｎｍ）が乱反射したときに人間が知覚する色をいう。
【００１５】
基板２は上記のように白色であるとともに、放電器用パッケージ１を上面視した場合において、基板２の上面にはトリガ電極等の金属が露出していない。つまり、基板２の上面には、トリガ電極は設けられておらず、トリガ電極は基板２の上面に露出していない。トリガ電極は基板２の内部または基板２の下面に設けられている。このため、放電器用パッケージ１の底面は酸化アルミニウム焼結体の白色が露出している。放電器用パッケージ１の底面は白色であることによって、放電によって生じた光を底面からも反射することができるため、発光量を確保することができる。
【００１６】
基板２の上面に、基板２を取り囲むように枠体３が設けられている。枠体３の外縁および内縁は、上面視において、例えば矩形状である。基板２の形状に合わせて円形状または楕円形状であってもよい。枠体３の上面視における外縁の大きさは、長辺が５ｍｍ〜２０ｍｍ、短辺が２ｍｍ〜１０ｍｍであり、枠体３の上面視における内縁の大きさは、長辺が４ｍｍ〜１８ｍｍ、短辺が１ｍｍ〜８ｍｍである。また、枠体３の高さは０．１ｍｍ〜１ｍｍである。枠体３は、酸化アルミニウム質焼結体から成る。枠体３が白色であれば、発生する光を効果的に反射して外部に放出することができる。また、枠体３は基板２と同じく、酸化アルミニウム質焼結体を主成分とする。例えば、酸化ジルコニウム、二酸化ケイ素、酸化マグネシウムおよび酸化カルシウム等の白色の酸化物であれば副成分として含んでいてもよい。
【００１７】
図１および図２に示すように、枠体３は、内面に連続した複数の段１１を有している。複数の段１１は枠体３で囲まれた領域に封止される希ガス等が放電によって発光する際の、光の広がりを制御することができる。複数の段１１において光の反射する方向を枠体３に囲まれる方向に向けることで、放電器用パッケージ１の中央付近に集光することができるためである。複数の段１１の幅は０．１ｍｍ〜４ｍｍで、高さは０．１ｍｍ〜０．５ｍｍである。複数の段１１も、基板２と同様に表面にトリガ電極が設けられていないため、酸化アルミニウム質焼結体の白色が放電器用パッケージ１に露出している。このため、放電によって生じた光は、段１１の表面で反射して放出することができる。
【００１８】
複数の段１１の各段の幅および高さは、それぞれ異なっていてもよいし、同じであってもよい。複数の段１１の幅および高さが異なる場合には、酸化アルミニウム焼結体の光の吸収率および反射率も各段１１によって異なるものになる。本実施形態においては、各段１１の幅は、上面視において基板２の上面から枠体３の上端に向かって小さくなっている。これによって、基板２の上方になるほど大きく開口することになる。開口する方が広いと、放電によって生じる光が反射するときに、放電器用パッケージ１の内側に向かって反射しやすくなる。このため、放電器用パッケージ１の中心付近に集光させることができる。
【００１９】
図２および図３に示すように、枠体３の内面と接するように陰極４が設けられている。また、上面視において陰極４および基板２の中心と一直線上になるように陽極５が設けられている。すなわち、陰極４および陽極５は枠体３の内面に対向して設けられている。陽極５は、陰極４と間を空けて、陰極４と同様に枠体３の内面と接するように設けられている。陰極４および陽極５は、複数の金属粒子群から成り、電位差によって希ガスに絶縁破壊を生じさせて、希ガスに電流を流すために用いられる電極である。
【００２０】
陰極４および陽極５は、例えば、タングステン（Ｗ）およびモリブデン（Ｍｏ）などの
高融点金属と、ニッケル（Ｎｉ）、コバルト（Ｃｏ）、鉄（Ｆｅ）、鉄クロムニッケル合金（Ｆｅ−Ｃｒ−Ｎｉ）等の金属とから成る。陰極４および陽極５の上面視における大きさは、長辺が０．５ｍｍ〜２．５ｍｍ、短辺が０．５ｍｍ〜２．５ｍｍであって、厚さが１０μｍ〜３００μｍである。
【００２１】
陰極４は、上面視において陽極５の方に向かって先端が細くなるような形状を有している。矩形状に限らず、円形状や多角形状であってもよい。陰極４の先端が細くなっていることによって、電子は尖った部分から放出されやすいため、電子が放出されやすくなる。また、先端の角部が丸くなっていると、電子の放出によって陰極４が劣化することを抑制することができる。陽極５は、陰極４と同様に、上面視において陰極４の方に向かって先端が細くなるような形状を有している。
【００２２】
図３に示すように、陰極４および陽極５は、ビア導体１３を介して外部と電気的に接続される。特に、陰極４および陽極５の先端には、通常の円筒型のビアを半分に割ったようなビア導体１３が形成される。この半分に割ったビア導体１３は、陰極４および陽極５の先端で放熱時に生じる高熱を放熱させることができる。また、通常のビアの半分の大きさにすることで、小型化を図ることができる。この半分に割ったビアは先端に複数設けられていてもよい。
【００２３】
陰極４および陽極５と外部端子等と接続するためのビア導体は、陰極４および陽極５に一度に強い電流を流すため、半分に割ったビアとは別に複数設けるのがよい。強い電流を流すために、複数のビア導体１３は陰極４および陽極５と重なる位置に、基板２の厚み方向に設けられる。このとき、複数のビア導体１３は広くに渡って均一になるように設けるのがよい。均一に配置されていると、陰極４および陽極５に伝導される電流が均一になりやすく、また放電の際に熱が生じたとしても均等に放熱しやすくすることができる。
【００２４】
図３および図４に示すように、トリガ電極６は、矩形板状に形成され、陰極４および陽極５と電気的に絶縁されるように、基板２の内部または基板２の下面に設けられている。これによって、トリガ電極６と放電領域との間には、少なくとも基板２の一部が存在することになる。つまり、トリガ電極６は、放電領域に露出していない。トリガ電極が放電領域の表面に露出していないことによって、トリガ電極が錆び、表面に付着物がつくおそれがない。トリガ電極６は、外部のトリガ回路からの信号に応じて、陰極４との間で予備放電し、陰極４および陽極５の間での安定した主放電を開始させる。このため、トリガ電極が錆びる、表面に付着物がつくおそれがないことによって、安定した放電を行なうことができる。
【００２５】
トリガ電極６は、ＷおよびＭｏなどの高融点金属から成る。また、トリガ電極６の上面視における大きさは、長辺が３ｍｍ〜１６ｍｍ、短辺が１ｍｍ〜８ｍｍであり、厚みが１μｍ〜１０μｍである。
【００２６】
図３および図５に示すように、枠体３の内縁が上面視において矩形状である場合には、短辺のそれぞれに対向して一対の凸部１２が設けられている。凸部１２の上面には、陰極４および陽極５が設けられている。陰極４および陽極５が凸部１２の上面に設けられていることによって、放電領域を上下方向に広くとることができる。特に、陰極４および陽極５が凸部１２の側面まで設けられていると、電子を放出しやすくなる。
【００２７】
一対の凸部１２は、一対の連続した複数の段１１に挟まれるようにして設けられている。一対の凸部１２を複数の段１１が挟むことによって、放電して光を放出する際に光が広がる方向に段１１を設けることができる。このため、光の広がりを段１１によって制御することができる。特に、基板２の上面から枠体３の上端に向かって、段１１の幅が細くなっていると、放電器用パッケージ１の内側に向かって反射しやすくなる。このため、放電器用パッケージ１の中心付近に集光させることができる。
【００２８】
また、枠体３の内縁は上面視において矩形状であり、枠体の短辺のそれぞれに陰極４および陽極５が設けられている場合には、複数の段１１は長辺方向のそれぞれに設けられているのがよい。複数の段１１が長辺方向に設けられていることによって、陰極４および陽極５に挟まれた放電領域で放出された光が内側に向かって反射しやすくなる。このため、中心方向に集光することができる。特に、短辺に陰極４および陽極５が設けられている場合には、生じた光は長辺方向に広がりやすい。このため、長辺方向に段１１が設けられていることによって、長辺方向に広がろうとする光を内側に反射させることができる。また、段１１を設けることによって、長辺方向の一部を厚くすることができるので、放電器用パッケージ１の剛性を大きくすることができる。
【００２９】
また、短辺方向にも連続した複数の段１１が設けられている場合と比較して、放電領域を広くすることができる。また、放電器用パッケージ１内に露出する陰極４および陽極５の先端の面積も大きくすることができるので、空間内の広い範囲に放電を起こすことができ、発光量を確保することができる。特に、放電が主に起こるのは陰極４および陽極５の放電領域なので、短辺方向に連続した複数の段１１が設けられていなくても、長辺方向に設けられていれば、放電によって生じる光を放電器用パッケージ１の中心付近に集光させることができる。
【００３０】
さらに、図６に示すように、本実施形態の放電器用パッケージ１は、基板２下面に、陰極４、陽極５およびトリガ電極６に対応した外部端子が設けられている。それぞれの電極は外部端子とビア導体１３等で電気的に接続される。
【００３１】
以上のような構成の本発明の実施形態の放電器用パッケージ１によれば、枠体３の内面に連続した複数の段１１を有し、トリガ電極６が基板２の内部または下面に設けられていることによって、トリガ電極が錆びる、表面に付着物がつく等のおそれがない。このため、長期的に中心照度を良好に維持することができる。
【００３２】
＜放電器用パッケージの製造方法＞
次に、本発明の実施形態に係る放電器用パッケージ１の製造方法について、図７を用いて説明する。図７は、放電器用パッケージ１を製造するための積層体を示す分解斜視図である。放電器用パッケージ１の製造方法は、成形工程と、印刷工程と、焼成工程とを含んで構成される。これに封入工程を加えると放電器１０を製造することができる。
【００３３】
図７に示すように、放電器用パッケージ１は、矩形板状の第１のセラミックグリーンシートと、矩形板状の第２のセラミックグリーンシートと、矩形板状の第３のセラミックグリーンシートと、矩形板状の第４のセラミックグリーンシートと、矩形板状の第５のセラミックグリーンシートと、矩形板状の第６のセラミックグリーンシートとを積層させた積層体を用いて、製造される。
【００３４】
成形工程では、加工前の第１のセラミックグリーンシート、第２のセラミックグリーンシート、第３のセラミックグリーンシート、第４のセラミックグリーンシート、第５のセラミックグリーンシートおよび第６のセラミックグリーンシートを、予め定められた形状に成形する。たとえば、第１のセラミックグリーンシートは、枠体３最上部の開口に対応した、厚み方向に貫通する貫通孔が形成されるように、成形される。第２のセラミックグリーンシートは、枠体３の長辺方向の段１１が形成されるとともに開口に対応した、厚み方向に貫通する貫通孔が形成されるように、成形される。第３のセラミックグリーンシートは、枠体３の短辺方向の凸部１２が形成されるとともに開口に対応した、厚み方向に貫
通する貫通孔が形成されるように、成形される。第４のセラミックグリーンシートは、枠体３の短辺方向の凸部１２および長辺方向の段１１が形成されるとともに開口に対応した、厚み方向に貫通する貫通孔が形成されるように、成形される。第５のセラミックグリーンシートは、ガスを封入するための封入口が形成されるように、成形される。第６のセラミックグリーンシートは、矩形板状である。
【００３５】
ここで、加工前のセラミックグリーンシートは、当業者が用いる通常の形成方法で形成される。たとえば、加工前のセラミックグリーンシートの原料の主成分には、酸化アルミニウム、チタニア系酸化物、およびジルコン酸系酸化物等が用いられる。チタン酸バリウムを主成分とする焼結体を用いる場合には、たとえば、チタン酸バリウム粉末に対して、所定量の酸化マグネシウム粉末、希土類元素の酸化物粉末および酸化マンガン粉末を配合し、さらに、必要に応じて焼結助剤としてガラス粉末を添加して素原量粉末を得る。次に、素原量粉末に有機ビヒクルを加えてセラミックスラリを調製し、次いで、ドクターブレード法またはダイコーダ法などの従来公知のシート成形法を用いて、加工前のセラミックグリーンシートが形成される。
【００３６】
成形工程の後工程である印刷工程では、第３のセラミックグリーンシートの上面であって、短辺方向に陰極４および陽極５を印刷する。また、第４のセラミックグリーンシート、第５のセラミックグリーンシートおよび第６のセラミックグリーンシートにも短辺方向に陰極４および陽極５を印刷する。さらに、第６のセラミックグリーンシートの上面に、トリガ電極６を印刷する。図７においては、第６のセラミックグリーンシートの上面にトリガ電極６を印刷しているが、第５のセラミックグリーンシートの、第６のセラミックグリーンシートと対向する面上（下面）に、トリガ電極６を印刷してもよい。また、第６のセラミックグリーンシートの下面にトリガ電極６を印刷してもよい。
【００３７】
また、第６のセラミックグリーンシートの下面に、外部端子を印刷する。また、第３のセラミックグリーンシート、第４のセラミックグリーンシート、第５のセラミックグリーンシートおよび第６のセラミックグリーンシートの陰極４および陽極５の位置に、ビア導体１３を印刷する。
【００３８】
印刷工程における、陰極４、陽極５、トリガ電極６、外部端子およびビア導体１３は、高融点金属であるＷなどの金属粒子およびＮｉなどの金属粒子に、予め定める有機バインダおよび溶剤を添加混合して得た金属ペーストを、従来公知のスクリーン印刷法を用いて印刷することによって、形成される。
【００３９】
印刷工程の後工程である焼成工程では、第１のセラミックグリーンシート、第２のセラミックグリーンシート、第３のセラミックグリーンシート、第４のセラミックグリーンシート、第５のセラミックグリーンシートおよび第６のセラミックグリーンシートを、陰極４および陽極５が重なるようにして積層する。また、連続した複数の段１１が長辺方向に形成されるように積層し、トリガ電極６が第５のセラミックグリーンシートおよび第６のセラミックグリーンシートに挟持されるように、積層して積層体を形成する。次に、積層させた積層体を焼成する。
【００４０】
焼成工程における積層体の焼成は、昇温速度を５℃／ｈ〜３００℃／ｈとして、脱脂を５００℃までの温度範囲で行い、次いで、昇温速度を２５℃／ｈ〜１０００℃／ｈとして、水素および窒素の混合ガスの還元雰囲気中にて１４００℃〜１６００℃の温度範囲で０．５時間から４時間焼成する。このような積層体の焼成により、セラミックスから成る基板２および枠体３が形成される。
【００４１】
次に、封入工程では、たとえばキセノン（Ｘｅ）を主成分とする希ガス雰囲気下におい
て、放電器用パッケージ１の枠体３の上端を、蓋体７と密着させ、放電器用パッケージ１と蓋体７とで囲まれる密閉空間内に、封入口から希ガスを封入する。枠体３の上端と蓋体７との密着には、蓋体７に用いるガラスより融点の低いガラスが用いられる。
【００４２】
上記成形工程、印刷工程、焼成工程、および封入工程を経ることにより、本発明の一実施形態に係る放電器用パッケージ１および放電器１０を製造することができる。
【００４３】
＜放電器の構成＞
図８は本発明の一実施形態に係る放電器用パッケージ１および蓋体７の斜視図を、図９は本発明の一実施形態に係る放電器１０の斜視図を、図１０は本発明の一実施形態に係る放電器を示すＤ−Ｄ線における断面図を、図１１は本発明の一実施形態に係る放電器１０の変形例を示している。これらの図において、放電器１０は、本発明の一実施形態に係る放電器用パッケージ１、蓋体７および封入される希ガスを備えている。また、図１１のように変形例では、さらにレンズ８を備えている。
【００４４】
図８ないし図１０に示すように、放電器１０は、本実施形態に係る放電器用パッケージ１と、放電器用パッケージ１における枠体３の上端に接合される蓋体７と、放電器用パッケージ１と蓋体７とで囲まれた空間内に充填された希ガスと、を含んで構成される。なお、希ガスは、たとえば、キセノン（Ｘｅ）を主成分とするガスである。キセノンガスは、太陽光に近い光の波長の連続スペクトルを有するので、人間が視認しやすい光を放出することができる。
【００４５】
蓋体７は、透光性を有する平板状の部材であり、放電器用パッケージ１における枠体３の上端に接合され、放電器用パッケージ１で囲まれた空間を塞いでいる。ここで、蓋体７の透光性とは、放電によって生じる発光した光の少なくとも一部の波長の光が透過できることをいう。蓋体７は、たとえばガラス、サファイア、透光性セラミックスなどの絶縁材料から成る。蓋体７は、大きさは上面視において、枠体３の外縁と同じであり、厚みは０．３ｍｍ〜１ｍｍである。
【００４６】
蓋体７がガラスから成る場合、蓋体７は、ガラス接合によって放電器用パッケージ１における枠体３の上端に接合されている。蓋体７がサファイアまたは透光性セラミックスから成る場合、蓋体７は、ガラス接合または焼結接合によって放電器用パッケージ１における枠体３の上端に接合されている。焼結接合とは、枠体３の上端と蓋体７とを、接合用治具を使用して被接合面を接触させた状態にて高温処理することにより、枠体３に含まれるガラス質を接合材として機能させて接合させることをいう。
【００４７】
また、図１１に示すように、蓋体７の上面にレンズ８を設けてもよい、レンズ８はフレネルレンズである。フレネルレンズであれば、低背化を図りつつ、光の広がりを制御することができる。フレネルレンズは、レンズの表面が同心円状に凹凸を有するレンズである。レンズ８の上面視における大きさは、長辺が５ｍｍ〜２０ｍｍ、短辺が２ｍｍ〜１０ｍｍであり、厚みが０．５ｍｍ〜１ｍｍである。レンズ８は、たとえばガラス、プラスチックなどの透光性材料から成る。
【００４８】
図１２に示すように、放電器１０は、たとえばスマートフォンなどの携帯端末やデジタルカメラなどの撮像装置１００に内蔵するものである。放電器１０は、撮像装置１００に内蔵されて写真撮影の際に必要な光を放出することができる。
【００４９】
以上のような構成の本発明の実施形態の放電器１０によれば、放電器用パッケージ１を備えていることによって、長期的に中心照度を良好に維持することができる。
【００５０】
また、フレネルレンズを搭載することによって、連続した複数の段１１における集光の効果に加えて、さらなる集光の効果をえることができ、より長期的に中心照度を良好に維持することができる。
【００５１】
本発明は上述の実施形態に限定されるものではなく、本発明の要旨を逸脱しない範囲において種々の変形や変更が可能である。さらに、特許請求の範囲に属する変形や変更は全て本発明の範囲内のものである。
【符号の説明】
【００５２】
１  放電器用パッケージ
２  基板
３  枠体
４  陰極
５  陽極
６  トリガ電極
７  蓋体
８  レンズ
１０  放電器
１１  段
１２  凸部
１３  ビア導体
１００  撮像装置
【図１】
2017117671.tif 000003
【図２】
2017117671.tif 000004
【図３】
2017117671.tif 000005
【図４】
2017117671.tif 000006
【図５】
2017117671.tif 000007
【図６】
2017117671.tif 000008
【図７】
2017117671.tif 000009
【図８】
2017117671.tif 000010
【図９】
2017117671.tif 000011
【図１０】
2017117671.tif 000012
【図１１】
2017117671.tif 000013
【図１２】
2017117671.tif 000014